(57)【要約】【課題】従来例１では、電源制御のために専用のカードを必要としている。しかし、このような専用のカードは高価であり、カード挿入等の操作も煩わしく面倒である。【解決手段】ホストコンピュータ１Ａはシャットダウンにより電源切断を行う際に、電源切断指示と次回給電開始時刻をストレージ装置１０に渡す。ストレージ装置１０は、ホストコンピュータ１Ａからの電源切断指示を受領後、一定時間、当該ホストコンピュータからのアクセスが無いと判断したら、電源切断に必要な後処理を終了させ、次回給電開始時刻をタイマ（時計、タイマ部１４のタイマ）にセットする。そして、セット終了後、ストレージシステム電源１１からの給電停止制御を行う。次に、給電停止してから、前記タイマに設定した次回給電開始時刻になると、ストレージシステム電源１１からの給電を開始する。【選択図】図１
2007316782.tif 000002
【特許請求の範囲】
【請求項１】
装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムの前記ホストコンピュータにおいて、
外部からの入力情報に基づいて次回給電開始時刻を設定しておく設定情報格納部と、
シャットダウンにより電源切断を行う際に、内部情報に基づいて電源切断指示を作成すると共に、前記設定情報格納部から次回給電開始時刻を読み出す情報取得手段と、
前記電源切断指示と次回給電開始時刻を含むコマンドを前記ストレージ装置に対して発行するコマンド発行手段と、
を備えていることを特徴とするホストコンピュータ。
【請求項２】
装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムの前記ストレージ装置において、
前記ホストコンピュータから電源切断指示と次回給電開始時刻を含むコマンドを受領するコマンド受領手段と、
前記電源切断指示を受領後、予め決めた一定時間、当該ホストコンピュータからのアクセスが無いことを監視する監視手段と、
前記監視により、予め決めた一定時間、ホストコンピュータからのアクセスが無いことを確認した場合、当該ホストコンピュータ側は電源切断済と判断する判断手段と、
前記電源切断指示を受領後、電源切断に必要な後処理を終了させ、次回給電開始時刻をタイマにセットするセット手段と、
前記セット終了後、ストレージシステム電源からの給電を停止させる制御を行う給電停止制御手段と、
前記給電停止してから、前記タイマに設定した次回給電開始時刻になると、ストレージシステム電源からの給電を開始する給電開始制御手段と、
を備えていることを特徴とするストレージ装置。
【請求項３】
前記ストレージ装置に接続されたホストコンピュータが複数台の場合、ストレージ装置に接続している全てのホストコンピュータから電源切断指示と次回給電開始時刻を受領し、かつ、全てのホストコンピュータが電源切断状態であることを確認する確認手段と、
前記確認手段により、全てのホストコンピュータから電源切断指示と次回給電開始時刻を受領し、かつ、全てのホストコンピュータが電源切断状態であることを確認した場合、  前記セット手段は、次回給電開始時刻として、全てのホストコンピュータから受領している給電開始時刻の内の最も早い時刻を採用し、この時刻を前記タイマにセットする機能を備えていることを特徴とする請求項２記載のストレージ装置。
【請求項４】
装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムの前記ホストコンピュータの電源連動制御方法において、
外部からの入力情報に基づいて次回給電開始時刻を設定しておく設定情報手順と、
シャットダウンにより電源切断を行う際に、内部情報に基づいて電源切断指示を作成すると共に、前記設定情報格納部から次回給電開始時刻を読み出す情報取得手順と、
前記電源切断指示と次回給電開始時刻を含むコマンドを前記ストレージ装置に対して発行するコマンド発行手順と、
を備えていることを特徴とするホストコンピュータの電源連動制御方法。
【請求項５】
装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムの前記ストレージ装置の電源連動制御方法において、
前記ホストコンピュータから電源切断指示と次回給電開始時刻を含むコマンドを受領するコマンド受領手順と、
前記電源切断指示を受領後、予め決めた一定時間、当該ホストコンピュータからのアクセスが無いことを監視する監視手順と、
前記監視により、予め決めた一定時間、ホストコンピュータからのアクセスが無いことを確認した場合、当該ホストコンピュータ側は電源切断済と判断する判断手順と、
前記電源切断指示を受領後、電源切断に必要な後処理を終了させ、次回給電開始時刻をタイマにセットするセット手順と、
前記セット終了後、ストレージシステム電源からの給電を停止させる制御を行う給電停止制御手順と、
前記給電停止してから、前記タイマに設定した次回給電開始時刻になると、ストレージシステム電源からの給電を開始する給電開始制御手順と、
を備えていることを特徴とするストレージ装置の電源連動制御方法。
【発明の詳細な説明】
【技術分野】
【０００１】
本発明は、装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムに利用される電源連動制御機能を有するホストコンピュータ、ストレージ装置、ホストコンピュータの電源連動制御方法、ストレージ装置の電源連動制御方法に関する。
【背景技術】
【０００２】
§１：従来例１の説明
図８は従来例の説明図である。以下、図８に基づいて従来例１を説明する。
【０００３】
(a) ：構成の説明
従来、複数台のサーバ１（この例では、サーバ１−１、サーバ１−２、サーバ１−３の３台）に接続されて運用されるストレージ装置１０が知られていた。
【０００４】
このストレージ装置１０は、ストレージ装置１０内の各部に電源を供給するためのストレージシステム電源１１と、ストレージ装置１０内の制御等に必要な最低限の電源を常時供給する常駐電源１２と、これらの電源を制御する電源制御部１３等を備えている。また、サーバ１とストレージ装置１０の電源連動制御を行うために、各サーバ１とストレージ装置１０には、電源制御専用カード２を挿入するためのスロットが設けてあり、これらの各スロットには、電源制御専用カード２が挿入されて運用されるようになっている。
【０００５】
そして、各サーバの電源制御専用カード２間は、電源制御用ケーブル３により、芋づる式に接続されている。また、サーバの内の１台（例えば、サーバ１−１）とストレージ装置１０の電源制御専用カード２が電源制御用ケーブル３により接続されている。
【０００６】
ストレージ装置１０の電源制御部１３や電源制御専用カード２等は常駐電源１２から常時電源（制御等に必要な最小限の電源）を供給されていて、ストレージシステム電源１１が電源切断（オフ）の場合でも、サーバ１からの電源制御に関する命令を実行できるようになっている。
【０００７】
(b) ：動作の説明
通常運用時には、サーバ１（サーバ１−１、１−２、１−３）がそれぞれストレージ装置１０にアクセスしてデータのリードやライトの動作を行う。この場合、サーバ１からの制御によりストレージ装置１０の電源投入／切断（電源オン／オフ）を行うが、この動作を前記電源制御専用カード２により行う。すなわち、サーバ１−１、１−２、１−３の電源制御専用カード２は、電源制御用ケーブル３により芋づる式に接続されているのでいずれかのサーバ１が動作する時は、ストレージ装置１０の電源制御専用カード２に電源オンの制御信号を送り、ストレージ装置１０のストレージシステム電源１１をオンにする。
【０００８】
ストレージ１のストレージシステム電源１１を切断（オフ）にする場合は、サーバ１の電源が全て切断（オフ）になっていることをストレージ装置１０が検出して、ストレージ装置１０のストレージシステム電源１１も切断（オフ）にする制御を行う。
【０００９】
(c) ：機能や特徴等の説明
システム全体の電源を制御する必要がある場合、ストレージ装置１０が接続しているサーバ１−１、１−２、１−３の電源投入／切断に連動してストレージ装置１０のストレージシステム電源１１を制御する必要がある。すなわち、ストレージ装置１０を使用しない時はストレージ装置１０のストレージシステム電源１１を切断（オフ）にし、ストレージ装置１０をサーバが使用する時にのみ、ストレージ装置１０のストレージシステム電源１１を投入（オン）にすることでシステム全体の節電を行うことができる。
【００１０】
このような節電により管理コストの減少ができ、コストダウンが可能になる。そして、節電対策とコストダウンを行うことが現在要望されている。しかし、前記のような電源制御専用カード２を使用して電源の制御を行う場合には、専用のカードが必要であり、このカードが高価である。特に、システムのグレードアップ毎にカードを作りなおす必要があって、専用の電源制御専用カード２は安くできない。
【００１１】
§２：従来例２の説明
以下、特許文献１を従来例２として説明する。従来例２には次のような内容が記載されている。
【００１２】
(a) ：「従来のディスクアレイ装置では、ホストコンピュータを起動の後に、オペレータが各ディスクアレイ装置（ＤＦ）を起動するために無停電電源装置（ＵＰＳ）の電源をオンしなければならず、ディスクアレイ装置を先行して起動することができなかったのを解決する。」・・・要約の欄を参照
(b) ：「交流電源を受け、対応するディスクアレイ装置に交流電力を供給する無停電電源装置に、ＬＡＮカードとインターフェイスボードを設け、ディスクアレイ装置の起動、停止を制御するホストコンピュータと無停電電源装置及びディスクアレイ装置との間の信号の授受を可能にする。」・・・要約の欄を参照
【００１３】
§３：従来例３の説明
以下、特許文献２を従来例３として説明する。従来例３には次のような内容が記載されている。
【００１４】
(a) ：「コンピュータ・システムのためのリモート自動パワー制御装置を提供すること。」・・・要約の欄を参照
(b) ：「データ記憶装置などの周辺装置が、１つ以上のコンピュータを有するコンピュータ・システム内で使用される。コンピュータ・システムは、連続クロック同期式シリアル・リンクを提供するファイバ・チャンネルまたはシリアル・ストレージ・アーキテクチャ（ＳＳＡ）などのインタフェース・アーキテクチャを含む。データ記憶装置は、電源及びディスク・ドライブなどのデータ記憶コンポーネントを、ハウジング内に含む。導線を通じてコンピュータと接続するように適応化される１つ以上のデータ通信インタフェースが、ハウジング上に設けられ、データ記憶コンポーネントに接続される。データ記憶コンポーネントは、実質的なパワーアップ状態と、パワーダウン信号に応答して入力する実質的なパワーダウン状態とを有する。検出器回路が、各データ通信インタフェースにおいて、クロック信号損失を検出し、それに応答してパワーダウン信号を生成する。」・・・要約の欄を参照
【００１５】
§４：従来例４の説明
以下、特許文献３を従来例４として説明する。従来例４には次のような内容が記載されている。
【００１６】
(a) ：「上位装置の電源のオンおよびオフに対応して電源をオンおよびオフする周辺装置を実現する。」・・・要約の欄を参照
(b) ：「本発明の目的は、上位装置の電源がオンまたはオフされると、この上位装置に接続される周辺装置側で上位装置の電源のオンおよびオフの状態を検知しこの検知した状態に応じて周辺装置自身で自己の電源をオンおよびオフすることのできる電源のオンオフを遠隔制御される周辺装置を提供することにある。」・・・段落番号［０００９］参照
【特許文献１】特開２００３−３６１２５号公報
【特許文献２】特開２０００−２１４９６４号公報
【特許文献３】特開平５−２０４４９７号公報
【発明の開示】
【発明が解決しようとする課題】
【００１７】
(1) ：従来例１では、電源制御のために専用のカードを必要としている。しかし、このような専用のカードは高価であり、カード挿入等の操作も煩わしく面倒である。
【００１８】
(2) ：従来例１では、節電により管理コストの減少ができ、コストダウンが可能になる。そして、節電対策とコストダウンを行うことが現在要望されている。しかし、前記のようなカードを使用して電源の制御を行う場合には、専用のカードが高価である。特に、システムのグレードアップ毎にカードを作りなおす必要があって、専用のカードは安くできない。
【００１９】
(3) ：従来例２は、コンピュータ・システムのリモート自動パワー制御を行うものである。しかし、本発明の構成要件は含まれておらず、本発明とは制御の内容が異なっている。
【００２０】
(4) ：従来例３は、上位装置の電源がオンまたはオフされると、この上位装置に接続される周辺装置側で上位装置の電源のオンおよびオフの状態を検知しこの検知した状態に応じて周辺装置自身で自己の電源をオンおよびオフすることのできる電源のオンオフを遠隔制御される周辺装置を提供するものである。しかし、本発明の構成要件は含まれておらず、本発明とは制御の内容が異なっている。
【００２１】
本発明は前記の課題を解決するためになされたものであり、従来のような電源連動制御専用のカードを使用しないで、上位装置とストレージを接続し、データアクセスに使用しているインタフェース上のプロトコルで上位装置とストレージ間の電源制御を実現させることにより、節電を図り、かつ管理コストを削減し、カードの製作にかかるコストを削減することを目的とする。
【課題を解決するための手段】
【００２２】
本発明は前記の目的を達成するため、次のように構成した。
【００２３】
(1) ：装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムの前記ホストコンピュータにおいて、外部からの入力情報に基づいて次回給電開始時刻を設定しておく設定情報格納部と、シャットダウンにより電源切断を行う際に、内部情報に基づいて電源切断指示を作成すると共に、前記設定情報格納部から次回給電開始時刻を読み出す情報取得手段と、前記電源切断指示と次回給電開始時刻を含むコマンドを前記ストレージ装置に対して発行するコマンド発行手段とを備えていることを特徴とする。
【００２４】
(2) ：装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムの前記ストレージ装置において、前記ホストコンピュータから電源切断指示と次回給電開始時刻を含むコマンドを受領するコマンド受領手段と、前記電源切断指示を受領後、予め決めた一定時間、当該ホストコンピュータからのアクセスが無いことを監視する監視手段と、前記監視により、予め決めた一定時間、ホストコンピュータからのアクセスが無いことを確認した場合、当該ホストコンピュータ側は電源切断済と判断する判断手段と、前記電源切断指示を受領後、電源切断に必要な後処理を終了させ、次回給電開始時刻をタイマにセットするセット手段と、前記セット終了後、ストレージシステム電源からの給電を停止させる制御を行う給電停止制御手段と、前記給電停止してから、前記タイマに設定した次回給電開始時刻になると、ストレージシステム電源からの給電を開始する給電開始制御手段とを備えていることを特徴とする。
【００２５】
(3) ：前記(2) のストレージ装置において、前記ストレージ装置に接続されたホストコンピュータが複数台の場合、ストレージ装置に接続している全てのホストコンピュータから電源切断指示と次回給電開始時刻を受領し、かつ、全てのホストコンピュータが電源切断状態であることを確認する確認手段と、前記確認手段により、全てのホストコンピュータから電源切断指示と次回給電開始時刻を受領し、かつ、全てのホストコンピュータが電源切断状態であることを確認した場合、  前記セット手段は、次回給電開始時刻として、全てのホストコンピュータから受領している給電開始時刻の内の最も早い時刻を採用し、この時刻を前記タイマにセットする機能を備えていることを特徴とする。
【００２６】
(4) ：装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムの前記ホストコンピュータの電源連動制御方法において、外部からの入力情報に基づいて次回給電開始時刻を設定しておく設定情報手順と、シャットダウンにより電源切断を行う際に、内部情報に基づいて電源切断指示を作成すると共に、前記設定情報格納部から次回給電開始時刻を読み出す情報取得手順と、前記電源切断指示と次回給電開始時刻を含むコマンドを前記ストレージ装置に対して発行するコマンド発行手順とを備えていることを特徴とする。
【００２７】
(5) ：装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムの前記ストレージ装置の電源連動制御方法において、前記ホストコンピュータから電源切断指示と次回給電開始時刻を含むコマンドを受領するコマンド受領手順と、前記電源切断指示を受領後、予め決めた一定時間、当該ホストコンピュータからのアクセスが無いことを監視する監視手順と、前記監視により、予め決めた一定時間、ホストコンピュータからのアクセスが無いことを確認した場合、当該ホストコンピュータ側は電源切断済と判断する判断手順と、前記電源切断指示を受領後、電源切断に必要な後処理を終了させ、次回給電開始時刻をタイマにセットするセット手順と、前記セット終了後、ストレージシステム電源からの給電を停止させる制御を行う給電停止制御手順と、前記給電停止してから、前記タイマに設定した次回給電開始時刻になると、ストレージシステム電源からの給電を開始する給電開始制御手順とを備えていることを特徴とする。
【００２８】
（作用）
図１は本発明の原理説明図である。以下、図１を参照しながら本発明の作用を説明する。
【００２９】
(a) ：前記(1) 、(4) の作用
ホストコンピュータ１Ａの主制御部２５は、外部からの入力情報に基づいて次回給電開始時刻を設定情報格納部２１に設定しておく。次に、ホストコンピュータ１Ａの主制御部２５は、シャットダウンにより電源切断を行う際に、内部情報に基づいて電源切断指示を作成すると共に、前記設定情報格納部２１から次回給電開始時刻を読み出し、デバイスドライバ２２へ渡す。そして、デバイスドライバ２２（コマンド発行手段）は、前記電源切断指示と次回給電開始時刻を含むコマンドをストレージ装置１０に対して発行する。
【００３０】
このようにすれば、従来のような電源連動制御専用のカードを使用しないで、上位装置とストレージを接続し、データアクセスに使用しているインタフェース上のプロトコルで上位装置とストレージ間の電源制御を実現させることにより、節電を図り、かつ管理コストを削減し、カードの製作にかかるコストを削減することができる。
【００３１】
(b) ：前記(2) 、(5) の作用
ストレージ装置１０は、コマンド受領手段（ホストインタフェース制御部１７）が、ホストコンピュータ１Ａから電源切断指示と次回給電開始時刻を含むコマンドを受領する。また、監視手段（主制御部１６）は、電源切断指示を受領後、予め決めた一定時間、当該ホストコンピュータからのアクセスが無いことを監視する。
【００３２】
その結果、判断手段（主制御部１６）は、予め決めた一定時間、ホストコンピュータからのアクセスが無いことを確認した場合、当該ホストコンピュータ側は電源切断済と判断する。そして、セット手段（主制御部１６）は、ホストコンピュータ１Ａから電源切断指示を受領後、電源切断に必要な後処理を終了させ、次回給電開始時刻をタイマにセットする。
【００３３】
そして、給電停止制御手段（電源制御部１３）は、前記タイマにセット終了後、ストレージシステム電源１１からの給電を停止させる制御を行う。そして、給電開始制御手段（電源制御部１３）は、前記給電停止してから、前記タイマに設定した次回給電開始時刻になると、ストレージシステム電源１１からの給電を開始する。
【００３４】
このようにすれば、従来のような電源制御専用のカードを使用しないで、上位装置とストレージを接続し、データアクセスに使用しているインタフェース上のプロトコルで上位装置とストレージ間の電源制御を実現させることにより、節電を図り、かつ管理コストを削減し、カードの製作にかかるコストを削減することができる。
【００３５】
(c) ：前記(3) の作用
前記(2) のストレージ装置１０に接続されたホストコンピュータ１Ａが複数台の場合、確認手段（主制御部１６）は、ストレージ装置１０に接続している全てのホストコンピュータ１Ａから電源切断指示と次回給電開始時刻を受領し、かつ、全てのホストコンピュータ１Ａが電源切断状態であるか否かを確認する。
【００３６】
その結果、全てのホストコンピュータ１Ａから電源切断指示と次回給電開始時刻を受領し、かつ、全てのホストコンピュータ１Ａが電源切断状態であることを確認した場合、  次回給電開始時刻として、全てのホストコンピュータ１Ａから受領している給電開始時刻の内の最も早い時刻を採用し、この時刻を前記タイマにセットする。
【００３７】
このようにすれば、従来のような電源制御専用のカードを使用しないで、上位装置とストレージを接続し、データアクセスに使用しているインタフェース上のプロトコルで上位装置とストレージ間の電源制御を実現させることにより、節電を図り、かつ管理コストを削減し、カードの製作にかかるコストを削減することができる。
【発明の効果】
【００３８】
(1) ：請求項１乃至５によれば、従来のような電源連動制御専用のカードを使用しないで、上位装置とストレージを接続し、データアクセスに使用しているインタフェース上のプロトコルで上位装置とストレージ間の電源制御を実現させることにより、節電を図り、かつ管理コストを削減し、カードの製作にかかるコストを削減することができる。
【発明を実施するための最良の形態】
【００３９】
§１：概要の説明
図１は本発明の原理説明図である。以下、図１に基づき、本発明の概要を説明する。
【００４０】
(1) ：装置内に給電するためのストレージシステム電源１１を有し、かつ、データを記憶する機能を有するストレージ装置１０と、該ストレージ装置１０に接続されたホストコンピュータ１Ａ（例えば、サーバ）とを有し、前記ホストコンピュータ１Ａとストレージ装置１０が電源連動制御を行うシステムを対象とする。
【００４１】
(2) ：前記システムのホストコンピュータ１Ａ（例えば、サーバ）において、外部（例えば、オペレータ）からの入力情報に基づいて、次回給電開始時刻を設定しておく設定情報格納部２１（例えば、メモリ）と、シャットダウンにより電源切断を行う際に、内部情報（例えば、ＯＳの情報）に基づいて電源切断指示を作成すると共に、前記設定情報格納部２１から次回給電開始時刻を読み出す手段（主制御部２５）と、前記電源切断指示と次回給電開始時刻を含むコマンドをストレージ装置１０に対して発行する手段｛デバイスドライバ２２、ストレージインタフェース制御部（ストレージＩ／Ｆ）２３｝とを備えている。
【００４２】
(3) ：前記システムのストレージ装置１０において、ホストコンピュータ１Ａから電源切断指示と次回給電開始時刻を含むコマンドを受領する手段｛ホストインタフェース制御部（ホストＩ／Ｆ）１７Ａ｝と、電源切断指示を受領後、予め決めた一定時間、当該ホストコンピュータ１Ａからのアクセスが無いことを監視する手段（主制御部１６）と、前記監視により、予め決めた一定時間、ホストコンピュータ１Ａからのアクセスが無いことを確認した場合、当該ホストコンピュータ１Ａ側は電源切断済と判断する手段（主制御部１６）と、電源切断指示を受領後、電源切断に必要な後処理を終了させ、次回給電開始時刻をタイマ（時計、タイマ部１４）にセットする手段（主制御部１６）と、前記セット終了後、ストレージシステム電源１１からの給電を停止させる制御を行う手段（電源制御部１３）と、前記給電停止してから、前記タイマに設定した次回給電開始時刻になると、ストレージシステム電源１１からの給電を開始する手段（電源制御部１３）を備えている。
【００４３】
(4) ：前記(3) のストレージ装置１０において、該ストレージ装置１０に接続されたホストコンピュータ１Ａが複数台の場合、ストレージ装置１０に接続している全てのホストコンピュータ１Ａから電源切断指示と次回給電開始時刻を受領し、かつ、全てのホストコンピュータ１Ａが電源切断状態であることを確認する手段（主制御部１６）と、前記確認する手段（主制御部１６）により、全てのホストコンピュータ１Ａから電源切断指示と次回給電開始時刻を受領し、かつ、全てのホストコンピュータ１Ａが電源切断状態であることを確認した場合、前記手段（主制御部１６）は、次回給電開始時刻として、全てのホストコンピュータ１Ａから受領している給電開始時刻の内の最も早い時刻を採用し、この時刻を前記タイマにセットする機能を備えている。
【００４４】
§２：システムの構成及び機能の説明
(1) ：システム構成の説明
図２はシステム構成図である。なお、以下の説明では、前記ホストコンピュータ１Ａとして、サーバを用いた例について説明する。従って、以下の説明では、装置内に給電するためのストレージシステム電源１１を有し、かつ、データを記憶する機能を有するストレージ装置１０と、該ストレージ装置１０に接続された複数台のサーバ１−１、１−２、１−３（例えば、サーバ）とを有し、前記サーバ１とストレージ装置１０が電源連動制御を行うシステムが対象である。
【００４５】
すなわち、図２に示したシステムは、複数のサーバ１−１、１−２、１−３と、これらの各サーバ１がアクセス可能なストレージ装置１０とからなるシステムである。そして、前記各サーバ１とストレージ装置１０との間はそれぞれインタフェースケーブル等で接続されている。
【００４６】
各サーバ１には、それぞれ設定情報（例えば、オペレータ等が入力した次回給電開始時刻等の設定情報）を格納するための設定情報格納部２１（例えば、メモリ）と、ストレージ装置１０を駆動制御するためのデバイスドライバ２２と、ストレージ装置１０との間のインタフェース制御を行うストレージインタフェース制御部（以下「ストレージＩ／Ｆ」と記す）２３と、時刻を計測する時計や時間の計測を行うためのタイマを有する時計、タイマ部２４と、サーバ１内の制御に必要な最小限の電力を供給するための常駐電源２６等を備えている。
【００４７】
また、ストレージ装置１０は、サーバ１との間のインタフェース制御を行うサーバインタフェース制御部（以下「サーバＩ／Ｆ」と記す）１７と、ストレージ装置１０の各種制御や処理を行う主制御部１６と、各種データのリード／ライトが可能なワーク用のメモリ１５と、時刻を計測する時計や時間の計測を行うためのタイマを有する時計、タイマ部１４と、ストレージシステム電源１１と、常駐電源１２と、前記各電源の制御を行う電源制御部１３等が設けてある。
【００４８】
前記の構成で、ストレージシステム電源１１は外部の商用ＡＣ電源から交流他電源が供給されている。また、常駐電源１２は、前記ストレージシステム電源１１の一部から電力が供給されており、ストレージシステム電源１１が切断（オフ）の場合でも常駐電源１２への電力供給は停止しないように構成されている。なお、常駐電源１２は電池を電源とすることも可能である。そして、この常駐電源１２から、サーバＩ／Ｆ１７、主制御部１６、電源制御部１３、時計、タイマ部１４、メモリ１５等に対し、ストレージシステム電源１１の投入／切断（オン／オフ）に関係なく、常時、制御等に必要な最低限の電力を供給する。
【００４９】
(2) ：機能の説明
(a) ：前記のように、ストレージ装置１０では、常駐電源１２と、時計、タイマ部１４を持ち、メモリ１５に設定された時刻（給電開始時刻）になると、電源制御部１３の制御により、ストレージ装置１０に対してストレージシステム電源１１を投入（オン）にして電源供給できる機能を備えている。
【００５０】
(b) ：サーバ１では、ストレージ装置１０を制御するためにデバイスドライバ２２を備えており、このデバイスドライバ２２は接続されている各サーバ１上に存在し、それぞれ接続されているストレージ装置１０を制御する。なお、電源切断に必要な情報は、データアクセスに使用しているインタフェース（ＳＣＳＩが一般的に使用される）コマンドとして実装する。
【００５１】
(c) ：前記システムの構成において、サーバ１の主制御部２５、デバイスドライバ２２、ストレージＩ／Ｆ２３は、それぞれプログラムにより構成されており、このプログラムの実行により以下に説明する処理や制御等を行うものである。また、ストレージ装置１０のサーバＩ／Ｆ１７、主制御部１６、電源制御部１３も、それぞれプログラムにより構成されており、このプログラムの実行により以下に説明する処理や制御等を行うものである。
【００５２】
§３：動作の説明
以下、図２に示した前記構成に基づく動作を説明する。
【００５３】
○：電源切断時のシーケンス
(1) ：サーバ１のシーケンス
(a) ：サーバ１は、シャットダウンによる電源切断時、次回給電開始時刻を設定情報格納部２１から読み出す。この場合、設定情報格納部２１には、予め、外部からの情報に基づき、主制御部２５が次回給電開始時刻等の情報を設定しておく。そして、前記のように、必要なタイミングで主制御部２５が次回給電開始時刻を設定情報格納部２１から読み出し、デバイスドライバ２２へ渡す。また、この時、主制御部２５が電源切断指示を作成してデバイスドライバ２２へ渡す。
【００５４】
(b) ：デバイスドライバ２２は、実装されているコマンドでストレージ装置１０に対して電源切断指示と、ストレージ装置１０の電源起動時刻を含むコマンドを、ストレージＩ／Ｆ２３を介して発行する。
【００５５】
(c) ：その後、サーバ１はシャットダウンにより電源切断する。
【００５６】
(2) ：ストレージ装置１０のシーケンス
(a) ：電源切断指示を受領したサーバ１からのアクセスを、予めメモリ１５に設定した一定時間は受領しない。
【００５７】
(b) ：サーバ１が接続していないことを条件に、ストレージ装置１０自身の電源切断処理を開始する。
【００５８】
(c) ：ストレージ装置１０は、主制御部１６が電源切断時の後処理（例えば、キャッシュメモリ内のデータのフラッシュ等）を実施後、既に受領していた次回給電開始時刻（サーバ１から受領した時刻）をメモリ１５に設定する。そして、電源切断が可能になったことを、主制御部１６から電源制御部１３に通知する。
【００５９】
(d) ：電源制御部１３は、メモリ１５に設定した次回給電開始時刻を参照し、時計、タイマ部１４のタイマに次回給電開始時刻を設定し、その後、ストレージ装置１０のストレージシステム電源１１を切断する。
【００６０】
○：電源投入時のシーケンス
(1) ：ストレージ装置１０のシーケンス
ストレージ装置１０の電源制御部１３は、時計、タイマ部１４のタイマに設定した次回給電開始時刻が来ると、その情報を基に動作を開始して、ストレージシステム電源１１をオンにして、ストレージ装置１０内の給電を開始する。
【００６１】
○：複数のサーバが接続された場合のストレージ装置における電源投入時のシーケンスとテーブルデータ、動作等の説明
(1) ：ストレージ装置１０のシーケンス
(a) ：ストレージ装置１０は、自身が接続しているサーバ１の一覧情報（図３のテーブルデータ参照）をメモリ１５に記憶している。
【００６２】
(b) ：電源切断は、全ての接続しているサーバ１から電源切断指示と次回給電開始時刻を受領していることを条件として実施する。
【００６３】
(c) ：主制御部１６は、電源制御部１３に対して電源切断可能となったことを通知し、次回給電開始時刻は、全てのサーバ１から受領している次回給電開始時刻の内で最も早い時刻を採用する。すなわち、複数のサーバ１が接続している場合には、全てのサーバ１から受領している次回給電開始時刻の内で最も早い時刻を採用し、時計、タイマ部１４のタイマに設定する。
【００６４】
(2) ：ストレージ装置１０が使用するテーブルデータと、動作の説明
図３はテーブルデータの説明図であり、Ａ図はサーバ１−２使用中のストレージ装置内部のテーブル例、Ｂ図は電源切断指示を受領した後の内部のテーブル例である。以下、図３に基づき、テーブルデータと、ストレージ装置１０の動作を説明する。
【００６５】
(a) ：ストレージ装置１０にはサーバ１−１、１−２、１−３の３台のサーバ１が接続されている（図２参照）。その内のサーバ１−１、１−２は既にシャットダウンによる電源切断を終えている状態であるとする。
【００６６】
この時、サーバ１−２使用中のストレージ装置１０内部のテーブルは図３のＡ図に示した通りである。この例では、図３のＡ図のテーブルは、メモリ１５に格納されており、サーバ識別情報と、電源切断と、次回給電開始時刻の項目がある。
【００６７】
このテーブルによれば、サーバ識別情報＝サーバ１−１では、電源切断＝有り、次回給電開始時刻＝２００６／０３／３１の０９：００、サーバ識別情報＝サーバ１−２では、電源切断＝無し、次回給電開始時刻＝無し、サーバ識別情報＝サーバ１−３では、電源切断＝有り、次回給電開始時刻＝２００６／０３／３１の１０：００となっている。
【００６８】
(b) ：次に、サーバ１−２でシャットダウンによる電源切断が行われ、次回給電開始時刻＝２００６／０３／３１の０９：３０として電源切断指示を受領している。電源切断指示を受領した後の内部テーブルは図３のＢ図の通りである。
【００６９】
この場合、サーバ識別情報＝サーバ１−１では、電源切断＝有り、次回給電開始時刻＝２００６／０３／３１の０９：００、サーバ識別情報＝サーバ１−２では、電源切断＝有り、次回給電開始時刻＝２００６／０３／３１の０９：３０、サーバ識別情報＝サーバ１−３では、電源切断＝有り、次回給電開始時刻＝２００６／０３／３１の１０：００となる。
【００７０】
(c) ：この結果、接続している全てのサーバ１からの電源切断指示を受領したため、時計、タイマ部１４のタイマに、次回給電開始時刻として、最も早い時刻である、２００６／０３／３１の０９：００をセットし、電源切断処理を行う。なお、前記セットした時刻になると、電源制御部１３の制御により、ストレージシステム電源１１がオンとなり給電を開始する。
【００７１】
§４：サーバの電源切断時の処理
図４はサーバの電源切断時の処理フローチャートである。以下、図４に基づいて、サーバの電源切断時の処理を説明する。なお、図４において、Ｓ１〜Ｓ３は各処理ステップを示す。
【００７２】
先ず、サーバ１のシャットダウンにより電源切断を行う際、主制御部２５は、電源切断指示を作成すると共に、次回給電開始時刻を設定情報格納部２１から読み出し、デバイスドライバ２２へ渡す（Ｓ１）。次に、デバイスドライバ２２は、電源切断指示と次回給電開始時刻をストレージインタフェース制御部（ストレージＩ／Ｆ）２３を介して、ストレージ装置１０へ渡す（Ｓ２）。
【００７３】
この場合、サーバ１のデバイスドライバ２２は、実装されているコマンドでストレージ装置１０に対して電源切断指示と、ストレージ装置１０の電源起動時刻を含むコマンドを、ストレージＩ／Ｆ２３を介して発行する。その後、サーバ１のシャットダウンによる電源切断を実行し（Ｓ３）、この処理を終了する。
【００７４】
§５：接続されたサーバが１台の場合のストレージ装置の電源切断時の処理
図５は接続されたサーバが１台の場合のストレージの電源切断時の処理フローチャートである。以下、図５に基づいて、接続されたサーバが１台の場合のストレージ装置の電源切断時の処理を説明する。なお、図５において、Ｓ１１〜Ｓ１８は各処理ステップを示す。
【００７５】
先ず、ストレージ装置１０の主制御部１６は、サーバ１からの電源切断指示と、次回給電開始時刻（コマンド）を受領したか否かを判断し（Ｓ１１）、受領していなければ受領するのを待つ。そして、サーバ１からの電源切断指示と、次回給電開始時刻（コマンド）を受領したら、主制御部１６は、その後、当該サーバ１からのアクセスはあるか否かを判断する（Ｓ１２）。
【００７６】
その結果、当該サーバ１からのアクセスがあれば、そのアクセスに従って処理を行うが、当該サーバ１からのアクセスがなければ、電源切断指示と、次回給電開始時刻を受領後、予め決めた一定時間が経過したか否かを判断（時計、タイマ部１４のタイマにより経過時間を計測して判断）する（Ｓ１３）。
【００７７】
その結果、予め決めた一定時間が経過していなければＳ１２の処理へ移行し、予め決めた一定時間が経過していれば、接続されたサーバ１との通信を試みる（Ｓ１４）。そして、通信に失敗したか否かを判断し（Ｓ１５）、失敗しなければ、通信内容に従う。しかし、失敗したら、サーバ１側は電源切断済と判断し、ストレージ装置１０の電源切断処理を開始する（Ｓ１６）。
【００７８】
次に、主制御部１６は、電源切断に必要な後処理（例えば、キャッシュメモリ内のフラッシュ等）を終了させ、次回給電開始時刻を時計、タイマ部１４のタイマにセットし、電源供給停止が可能になったことを、主制御部１６から電源制御部１３に通知する（Ｓ１７）。
【００７９】
次に、電源停止可能の通知を受領した電源制御部１３は、ストレージシステム電源１１を切断し（Ｓ１８）、この処理を終了する。  
【００８０】
§６：接続されたサーバが複数台の場合のストレージ装置の電源切断時の処理
図６は接続されたサーバが複数台の場合のストレージの電源切断時の処理フローチャート（その１）、図７は接続されたサーバが複数台の場合のストレージの電源切断時の処理フローチャート（その２）である。以下、図６、図７に基づいて、接続されたサーバが複数台の場合のストレージ装置の電源切断時の処理を説明する。なお、図６、図７において、Ｓ２１〜Ｓ３０は各処理ステップを示す。
【００８１】
先ず、何れかのサーバ１からの電源切断指示と、次回給電開始時刻（コマンド）を受領したか否かを判断し（Ｓ２１）、受領していなければ受領するのを待つ。そして、何れかのサーバ１からの電源切断指示と、次回給電開始時刻（コマンド）を受領したら、主制御部１６は、その後、当該サーバ１からのアクセスはあるか否かを判断する（Ｓ２２）。
【００８２】
その結果、当該サーバ１からのアクセスがあれば、そのアクセスに従って処理を行うが、当該サーバ１からのアクセスがなければ、電源切断指示と、次回給電開始時刻（コマンド）を受領後、予め決めた一定時間が経過したか否かを判断（時計、タイマ部１４のタイマにより経過時間を計測して判断）する（Ｓ２３）。
【００８３】
その結果、予め決めた一定時間が経過していなければＳ２２の処理へ移行し、予め決めた一定時間が経過していれば、当該サーバ１との通信を試みる（Ｓ２４）。そして、通信に失敗したか否かを判断し（Ｓ２５）、失敗しなければ、通信内容に従う。しかし、失敗したら、当該サーバ１は電源切断済と判断し、次の処理を続行する（Ｓ２６）。
【００８４】
次に、接続されている全てのサーバ１から、電源切断指示と、次回給電開始時刻を受領し、かつ、全てのサーバ１は電源切断済か否かを判断する（Ｓ２７）。なお、Ｓ２７の処理は、Ｓ２１乃至Ｓ２６の処理と同じ処理を行うことで前記Ｓ２７の判断を行う。
【００８５】
その結果、接続されている全てのサーバ１から、電源切断指示と、次回給電開始時刻を受領し、かつ、全てのサーバ１は電源切断済でないと判断したら、Ｓ２１の処理へ移行する。
【００８６】
しかし、接続されている全てのサーバ１から、電源切断指示と、次回給電開始時刻を受領し、かつ、全てのサーバ１は電源切断済であると判断したら、主制御部１６は、電源切断に必要な後処理（例えば、キャッシュメモリ内のフラッシュ等）を終了させ、次回給電開始時刻を時計、タイマ部１４のタイマにセットし、電源供給停止が可能になったことを、電源制御部１３に通知する（Ｓ２９）。次に、電源停止可能の通知を受領した電源制御部１３は、ストレージシステム電源１１を切断し（Ｓ３０）、この処理を終了する。  
【００８７】
§７：プログラムと記録媒体の説明
前記構成のサーバ１及びストレージ装置１０（図２参照）において、記憶手段（図示省略したハードディスク装置等）に、前記サーバ１又はストレージ装置１０の処理を実現するためのプログラムを格納しておき、このプログラムをＣＰＵ（例えば、主制御部２５、１６）が読み出して実行することにより、前記サーバ１又はストレージ装置１０が行う処理を実行する。
【００８８】
しかし、本発明は、このような例に限らず、例えば、前記記憶手段の記録媒体に、次のようにしてプログラムを格納し、このプログラムをＣＰＵが実行することで前記処理を行うことも可能である。
【００８９】
(a) ：他の装置で作成されたリムーバブルディスクに格納されているプログラム（他の装置で作成したプログラムデータ）を、リムーバブルディスクドライブ（図示省略）により読み取り、前記記憶手段の記録媒体に格納する。
【００９０】
(b) ：通信回線を介して他の装置から伝送されたプログラム等のデータを、通信制御部（図示省略）を介して受信し、そのデータを前記記憶手段の記録媒体（例えば、磁気ディスク）に格納する。
【００９１】
（付記）
前記の説明に対し、以下の構成を付記する。
【００９２】
（付記１）
装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムの前記ホストコンピュータにおいて、
外部からの入力情報に基づいて次回給電開始時刻を設定しておく設定情報格納部と、
シャットダウンにより電源切断を行う際に、内部情報に基づいて電源切断指示を作成すると共に、前記設定情報格納部から次回給電開始時刻を読み出す情報取得手段と、
前記電源切断指示と次回給電開始時刻を含むコマンドを前記ストレージ装置に対して発行するコマンド発行手段と、
を備えていることを特徴とするホストコンピュータ。
【００９３】
（付記２）
装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムの前記ストレージ装置において、
前記ホストコンピュータから電源切断指示と次回給電開始時刻を含むコマンドを受領するコマンド受領手段と、
前記電源切断指示を受領後、予め決めた一定時間、当該ホストコンピュータからのアクセスが無いことを監視する監視手段と、
前記監視により、予め決めた一定時間、ホストコンピュータからのアクセスが無いことを確認した場合、当該ホストコンピュータ側は電源切断済と判断する判断手段と、
前記電源切断指示を受領後、電源切断に必要な後処理を終了させ、次回給電開始時刻をタイマにセットするセット手段と、
前記セット終了後、ストレージシステム電源からの給電を停止させる制御を行う給電停止制御手段と、
前記給電停止してから、前記タイマに設定した次回給電開始時刻になると、ストレージシステム電源からの給電を開始する給電開始制御手段と、
を備えていることを特徴とするストレージ装置。
【００９４】
（付記３）
前記ストレージ装置に接続されたホストコンピュータが複数台の場合、ストレージ装置に接続している全てのホストコンピュータから電源切断指示と次回給電開始時刻を受領し、かつ、全てのホストコンピュータが電源切断状態であることを確認する確認手段と、
前記確認手段により、全てのホストコンピュータから電源切断指示と次回給電開始時刻を受領し、かつ、全てのホストコンピュータが電源切断状態であることを確認した場合、  前記セット手段は、次回給電開始時刻として、全てのホストコンピュータから受領している給電開始時刻の内の最も早い時刻を採用し、この時刻を前記タイマにセットする機能を備えていることを特徴とする付記２記載のストレージ装置。
【００９５】
（付記４）
装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムの前記ホストコンピュータの電源連動制御方法において、
外部からの入力情報に基づいて次回給電開始時刻を設定しておく設定情報手順と、
シャットダウンにより電源切断を行う際に、内部情報に基づいて電源切断指示を作成すると共に、前記設定情報格納部から次回給電開始時刻を読み出す情報取得手順と、
前記電源切断指示と次回給電開始時刻を含むコマンドを前記ストレージ装置に対して発行するコマンド発行手順と、
を備えていることを特徴とするホストコンピュータの電源連動制御方法。
【００９６】
（付記５）
装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムの前記ストレージ装置の電源連動制御方法において、
前記ホストコンピュータから電源切断指示と次回給電開始時刻を含むコマンドを受領するコマンド受領手順と、
前記電源切断指示を受領後、予め決めた一定時間、当該ホストコンピュータからのアクセスが無いことを監視する監視手順と、
前記監視により、予め決めた一定時間、ホストコンピュータからのアクセスが無いことを確認した場合、当該ホストコンピュータ側は電源切断済と判断する判断手順と、
前記電源切断指示を受領後、電源切断に必要な後処理を終了させ、次回給電開始時刻をタイマにセットするセット手順と、
前記セット終了後、ストレージシステム電源からの給電を停止させる制御を行う給電停止制御手順と、
前記給電停止してから、前記タイマに設定した次回給電開始時刻になると、ストレージシステム電源からの給電を開始する給電開始制御手順と、
を備えていることを特徴とするストレージ装置の電源連動制御方法。
【００９７】
（付記６）
装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムの前記ホストコンピュータに、
外部からの入力情報に基づいて次回給電開始時刻を設定しておく設定情報格納部と、
シャットダウンにより電源切断を行う際に、内部情報に基づいて電源切断指示を作成すると共に、前記設定情報格納部から次回給電開始時刻を読み出す情報取得手段と、
前記電源切断指示と次回給電開始時刻を含むコマンドを前記ストレージ装置に対して発行するコマンド発行手段の機能を実現させるためのプログラム、又は該プログラムを記録したコンピュータ読み取り可能な記録媒体。
【００９８】
（付記７）
装置内に給電するためのストレージシステム電源を有し、かつ、データを記憶する機能を有するストレージ装置と、該ストレージ装置に接続されたホストコンピュータとを有し、前記ホストコンピュータとストレージ装置が電源連動制御を行うシステムの前記ストレージ装置に、
前記ホストコンピュータから電源切断指示と次回給電開始時刻を含むコマンドを受領するコマンド受領手段と、
前記電源切断指示を受領後、予め決めた一定時間、当該ホストコンピュータからのアクセスが無いことを監視する監視手段と、
前記監視により、予め決めた一定時間、ホストコンピュータからのアクセスが無いことを確認した場合、当該ホストコンピュータ側は電源切断済と判断する判断手段と、
前記電源切断指示を受領後、電源切断に必要な後処理を終了させ、次回給電開始時刻をタイマにセットするセット手段と、
前記セット終了後、ストレージシステム電源からの給電を停止させる制御を行う給電停止制御手段と、
前記給電停止してから、前記タイマに設定した次回給電開始時刻になると、ストレージシステム電源からの給電を開始する給電開始制御手段の機能を実現させるためのプログラム、又は該プログラムを記録したコンピュータ読み取り可能な記録媒体。
【図面の簡単な説明】
【００９９】
【図１】本発明の原理説明図である。
【図２】実施の形態におけるシステム構成図である。
【図３】実施の形態におけるテーブルデータの説明図であり、Ａ図はサーバ１−２使用中のストレージ装置内部のテーブル例、Ｂ図は電源切断指示を受領した後の内部のテーフセル例である。
【図４】実施の形態におけるサーバの電源切断時の処理フローチャートである。
【図５】実施の形態における接続されたサーバが１台の場合のストレージの電源切断時の処理フローチャートである。
【図６】実施の形態における接続されたサーバが複数台の場合のストレージの電源切断時の処理フローチャート（その１）である。
【図７】実施の形態における接続されたサーバが複数台の場合のストレージの電源切断時の処理フローチャート（その２）である。
【図８】従来例の説明図である。
【符号の説明】
【０１００】
１、１−１、１−２、１−３  サーバ
１Ａ  ホストコンピュータ
２  電源制御専用カード
３  電源制御用ケーブル
１０  ストレージ装置
１１  ストレージシステム電源
１２  常駐電源
１３  電源制御部
１４  時計、タイマ部
１５  メモリ
１６  主制御部
１７  サーバインタフェース制御部（サーバＩ／Ｆ）
１７Ａ  ホストインタフェース制御部（ホストＩ／Ｆ）
２１  設定情報格納部
２２  デバイスドライバ
２３  ストレージインタフェース制御部（ストレージＩ／Ｆ）
２４  時計、タイマ部
２５  主制御部
２６  常駐電源
【図１】
2007316782.tif 000003
【図２】
2007316782.tif 000004
【図３】
2007316782.tif 000005
【図４】
2007316782.tif 000006
【図５】
2007316782.tif 000007
【図６】
2007316782.tif 000008
【図７】
2007316782.tif 000009
【図８】
2007316782.tif 000010